(57)【特許請求の範囲】
【請求項１】
筐体内に並設された複数のプリント基板と、前記筐体を補強するためのステーを有するビデオカメラにおいて、
前記ステーが、金属製で平板部と、この平板部の一面に間隔を有して突設された複数のフィン部とから一体成形され、
前記ステーの複数のフィン部がそれぞれ前記複数のプリント基板の間に挿入され、複数のプリント基板と対向するように配置されてなることを特徴とするビデオカメラ。
【請求項２】
前記複数のプリント基板がマザーボードに立設されていることを特徴とする請求項１に記載のビデオカメラ。
【請求項３】
前記ステーの複数のフィン部の所定個所に発熱部品に当接するための放熱部材を付設したことを特徴とする請求項１に記載のビデオカメラ。
【請求項４】
前記ステーの所定のフィン部が発熱部品に近接配置されていることを特徴とする請求項１に記載のビデオカメラ。
【請求項５】
前記ステーの平板部の他面に放熱部材を付設し、この放熱部材を前記筐体に当接させるようにしたことを特徴とする請求項１に記載のビデオカメラ。
【請求項６】
前記ステーが前記複数のプリント基板の一側を保持するための保持部を有することを特徴とする請求項１に記載のビデオカメラ。
【発明の詳細な説明】
【０００１】
【発明の属する技術分野】
本発明は、筐体内に並設された複数のプリント基板と補強用のステーを有するビデオカメラに係り、詳しくは金属製のステーの平板部に間隔を有して複数のフィン部を突設し、複数のフィン部をそれぞれ複数のプリント基板の間に挿入し、複数のプリント基板と対向するように配置して、単一の部材で筐体を補強し、電磁波をシールドし、効果的に熱を吸収し外部に放熱できるようにしたビデオカメラに関するものである。
【０００２】
【従来の技術】
近年、ビデオカメラの小型化は著しく、小型軽量化が進展している。図８はこのような小型のビデオカメラの一例を示す分解斜視図である。ビデオカメラ４１の筐体はフロントパネル４２とリアパネル４３とボトムパネル４４とトップパネル４５から構成されている。フロントパネル４２には大径の孔が開けられ、この大径の孔には例えばＵ１ネジをマウント機構とする、いわゆるＣマウント方式のレンズを取り付けるためのリング状のレンズマウント４７が嵌着されている。このレンズのカメラ筐体への取付基準面（レンズマウント面）から光学像の結像面までの距離（以下、フランジバックと称す）は規格により定められているが、各々のレンズのフランジバックは製作上の誤差が生じるため、良好な画像を得るためには、固体撮像素子（ＣＣＤ）の撮像面とレンズの結像面とを厳密に一致させる必要がある。
【０００３】
フロントパネル４２には色分解プリズムやＣＣＤ等からなるプリズムアクセサリ５１が図示せぬフランジバック調整機構を介して取り付けられている。ボトムパネル４４にはマザーボード５３が載設され、マザーボード５３にはそれぞれ間隔を有してプリント基板５４，５５，５６，５７と発熱部品５９が立設されている。
【０００４】
ステー４９はネジ６２，６２によりフロントパネル４２とバックパネル４３のブラケット４２ａ，４３ａにネジ止め固定されている。ステー４９の前方と後方の両端部には一対の隆起部４９ａが形成され、一対の隆起部４９ａにはそれぞれ一定の間隔で図示せぬ複数のＶ溝が刻設され、この複数のＶ溝にプリント基板５４，５５，５６，５７の上端が保持されるようになっている。トップパネル４５は４個のネジ６３によりフロントパネル４２とバックパネル４３のブラケット４２ｂ，４２ｂ，４３ｂ，４３ｂにネジ止め固定されている。
【０００５】
【発明が解決しようとする課題】
ところで、上述したようなビデオカメラに設けられたステー４９では、ネジ６２，６２によりフロントパネル４２とバックパネル４３にネジ止め固定されるので、ビデオカメラ４１の強度を増す強度部材となると共に、一対の隆起部４９ａの複数のＶ溝によりプリント基板５４，５５，５６，５７の上端を保持することができる。
【０００６】
しかしながら、プリント基板５４，５５，５６，５７は短い間隔で並設されているため、電磁波の相互干渉を防ぐことはできず、ある程度の干渉が起きることは避けられず、空間的な電磁干渉によるチャンネル間のクロストークの劣化やＳ／Ｎ比の悪化等をもたらす虞があった。また、小型化に伴う高密度化により、発熱部品から発生した熱が筐体内にこもりやすく、放熱効果が悪いという難点があった。
【０００７】
そのため、補強部材であるステー４９とは別に、電磁波シールド部材や放熱部材等を別部材で構成する必要がある。このような場合には、各部材の組立に時間がかかるのと、電磁波シールド部材や放熱部材等を取り付けるスペースが必要となり、その分、ビデオカメラが大型化するという問題があった。
【０００８】
そこで、本発明は、金属製のステーに間隔を有して複数のフィンを設け、この複数のフィンをプリント基板に対向するように配置して、単一の部材で筐体を補強し、電磁波をシールドし、効果的に熱を吸収し外部に放熱できるようにしたビデオカメラを提供することを目的とするものである。
【０００９】
【課題を解決するための手段】
本発明に係るビデオカメラは、筐体内に並設された複数のプリント基板と、前記筐体を補強するためのステーを有するビデオカメラにおいて、前記ステーが、金属製で平板部と、この平板部の一面に間隔を有して突設された複数のフィン部とから一体成形され、前記ステーの複数のフィン部がそれぞれ前記複数のプリント基板の間に挿入され、複数のプリント基板と対向するように配置されてなることを特徴とするものである。
【００１０】
本発明に係るビデオカメラでは、金属製で平板部と、この平板部の一面に間隔を有して突設された複数のフィン部とから一体成形されたステーを備え、ステーの複数のフィン部がそれぞれ複数のプリント基板の間に挿入され、複数のプリント基板と対向するように配置されているので、複数のプリント基板の電磁波をシールドし、かつ効果的に熱を吸収し外部に放熱することができる。
【００１１】
【発明の実施の形態】
以下、図面を参照して本発明に係るビデオカメラの実施の形態の一例を説明する。図３は本発明に係るビデオカメラの外観図である。ビデオカメラ１の筐体はフロントパネル２とリアパネル３とボトムパネル４とトップパネル５から構成されている。フロントパネル２には大径の孔が開けられ、この大径の孔にはレンズを取り付けるためのリング状のレンズマウント６が嵌着されている。ここでは、例えばＵ１ネジをマウント機構とするレンズ、いわゆるＣマウント方式のレンズを取り付けるためのリング状のレンズマウント６が嵌着されている。
【００１２】
このレンズのカメラ筐体への取付基準面（レンズマウント面）から光学像の結像面までの距離（フランジバック）は規格により定められているが、各々のレンズのフランジバックは製作上の誤差が生じるため、良好な画像を得るためには、固体撮像素子の撮像面とレンズの結像面とを厳密に一致させる必要がある。このため、フロントパネル２の一側には、レンズのカメラ筐体への取付基準面（レンズマウント面）から光学像の結像面までの距離（フランジバック）を調整する図示せぬフランジバック調整機構が設けられ、更にフランジバック調整機構の調整部材を操作するための調整部材用カバー７が設けられている。
【００１３】
図１は本発明に係るビデオカメラの分解斜視図である。フロントパネル２とバックパネル３の上端にはステー９を取り付けるためのネジ孔を有するブラケット２ａ，３ａと、ブラケット２ａ，３ａの左右にトップパネル５を取り付けるためのネジ孔を有するブラケット２ｂ，２ｂ，３ｂ，３ｂがそれぞれ内側に向けて突設されている。フロントパネル２には色分解プリズムやＣＣＤ（固体撮像素子）等からなるプリズムアクセサリ１１が図示せぬフランジバック調整機構を介して取り付けられている。ステー９について詳しくは後述する。
【００１４】
ボトムパネル４にはマザーボード１３が載設され、マザーボード１３にはそれぞれ間隔を有してプリント基板１４，１５，１６，１７と発熱部品であるＤＣ−ＤＣ（ＤＤ）コンバータ１９が立設されている。ＤＤコンバータ１９の上面にはＤＤコンバータ１９の熱をトップパネル５に伝達するための放熱ゴム２０が付着されている。
【００１５】
本発明は、金属製のステー９の平板２７に間隔を有してフィン２８，２９，３０を突設し、フィン２８，２９，３０をプリント基板１４，１５，１６，１７の間に対向するように配置して、筐体２，３，４，５を補強すると共に、電磁波をシールドし、効果的に熱を吸収し外部に放熱できるようにするものである。
【００１６】
図２はステー９のフィン２８，２９，３０をプリント基板１４，１５，１６，１７の間に挿入し組み付けた状態を示している。ステー９はネジ２２，２２によりフロントパネル２とバックパネル３のブラケット２ａ，３ａにネジ止め固定されている。そして、図３に示すように、トップパネル５は４個の孔５ａに挿入された４本のネジ２３によりフロントパネル２とバックパネル３のブラケット２ｂ，２ｂ，３ｂ，３ｂにネジ止め固定される。ステー９の前方の両端と略中央部には図示せぬ顕微鏡や画像処理装置にテレビジョンカメラ１を固定するためのネジ溝２７ｃが螺設されている。トップパネル５のステー９のネジ溝２７ｃに対応する部位には３個の孔５ｂが開けられている。
【００１７】
次に、ステー９ついて説明する。図４はステー９の側面図、図５はステー９の下面図、図６はステー９をバックパネル３側から見た背面図である。図４乃至図６に示すように、ステー９の平板２７には例えば３枚の上下方向の長さが略等しいフィン２８，２９，３０が間隔を有して垂設されている。フロントパネル２側から見て右側から１番目のフィン２８は他のフィン２９，３０に比較して前後方向の長さが短く、２番目と３番目のフィン２９，３０はフィン２８より前後方向の長さが長く略同一長さに形成されている。フィン２８はＤＤコンバータ１９の側面に近接してＤＤコンバータ１９の熱を吸収するためのものである。平板２７のフィン２９，３０の間には小型の小フィン３１が間隔を有して垂設され、小フィン３１の片面には放熱ゴム３２が付着されている。放熱ゴム３２は特定の発熱部品から発生される熱を小フィン３１に伝達するためのものである。
【００１８】
すなわち、ステー９はアルミダイカスト等の金属製で、平板２７及びフィン２８，２９，３０，３１からなり、一体に成形されている。平板２７の前後方向の両端にはそれぞれネジ２２を挿通させるための孔２７ａ-1，２７ｂ-1を有するブラケット部２７ａ，２７ｂが突設されている。
【００１９】
図５に示すように、平板２７の下面の両側には対向するように保持部である細長形状の一対の隆起部３３が設けられ、この一対の隆起部３３にはそれぞれ基板１４，１５，１６，１７を保持するためのＶ溝３３ａ，３３ｂ，３３ｃ，３３ｄが刻設されている。すなわち、一対のＶ溝３３ａ，３３ａの間には、基板１７の上端が保持され、一対のＶ溝３３ｂ，３３ｂの間には、基板１６の上端が保持され、一対のＶ溝３３ｃ，３３ｃの間には、基板１５の上端が保持され、一対のＶ溝３３ｄ，３３ｄの間には、基板１４の上端が保持されるようになっている。
【００２０】
図７は図３におけるＡ−Ａ線断面図である。ＤＤコンバータ１９が基板１３に立設されており、その上面に付着された放熱ゴム２０を介して熱をトップパネル５に伝達するようになっている。フィン２８はＤＤコンバータ１９とプリント基板１７の間で、ＤＤコンバータ１９に近接して配置され、フィン２９はプリント基板１６，１７の間に配置され、フィン３０はプリント基板１４，１５の間に配置され、小フィン３１はプリント基板１５，１６の間に配置されている。プリント基板１５には例えばＤＳＰ（Digital Signal Processor：デジタル信号処理プロセッサ）からなる発熱部品３７が実装されており、この発熱部品３７に小フィン３１に付設された放熱部材である放熱ゴム３２が当接するようになっている。
【００２１】
次に、本発明に係るステー９の機能について説明する。ステー９の組み付け状態では、プリント基板１４，１５，１６，１７は金属製のステー９のフィン２８，２９，３０，３１で仕切られているため、プリント基板１４，１５，１６，１７から発生する電磁波をシールドすることができ、空間的な電磁干渉によるチャンネル間のクロストークの劣化やＳ／Ｎ比の悪化等を防止することができる。
【００２２】
ステー９のフィン２８，２９，３０，３１がプリント基板１４，１５，１６，１７の間に対向するように配置されており、かつステー９が金属製のため熱伝導率が良く、プリント基板１４，１５，１６，１７から発生した熱を効果的に吸収し、フロントパネル２とリアパネル３に伝達し、外部に放熱することができる。また、プリント基板１４，１５，１６，１７から発生した熱をステー９のフィン２８，２９，３０，３１により、効果的に遮熱できる。
【００２３】
ステー９のフィン２８がＤＤコンバータ１９の側面に近接して配置されているので、フィン２８を介してＤＤコンバータ１９の熱を効果的に吸収し、外部に放熱することができる。
【００２４】
ステー９の小フィン３１の放熱ゴム３２が発熱部品３７に当接しているので、発熱部品３７の熱を放熱ゴム３２、小フィン３１、平板２７を介して、フロントパネル２とリアパネル３に効果的に伝達し、外部に放熱することができる。
【００２５】
ステー９をネジ２２，２２によりフロントパネル２とリアパネル３にネジ止め固定したので、ビデオカメラ１の強度を増す強度部材となると共に、一対の隆起部３３のＶ溝３３ａ，３３ｂ，３３ｃ，３３ｄによりプリント基板１４，１５，１６，１７の上端を保持することができる。
【００２６】
ステー９に設けられたネジ溝２７ｃ，２７ｃ，２７ｃにより、図示せぬ顕微鏡や画像処理装置にビデオカメラ１を容易かつ確実に取り付けることができ、極めて簡便である。
【００２７】
従って、金属製のステー９に間隔を有してフィン２８，２９，３０，３１を設け、このフィン２８，２９，３０，３１をプリント基板１４，１５，１６，１７に対向するように配置したので、電磁波をシールドする機能、熱を吸収して外部に放熱する機能、熱を遮断する機能、プリント基板１４，１５，１６，１７を保持する機能、ビデオカメラ１を補強する機能等をステー９という１個の部材で一体化し実現することができ、ビデオカメラの一層の小型化が図れる。
【００２８】
小フィン３１に放熱ゴム３２を付着し、この放熱ゴム３２をプリント基板１５上の特定の発熱部品３７に当接させることにより、特に発熱の大きい発熱部品３７の熱を効果的に吸収し、外部に放熱することができる。
【００２９】
なお、上述実施の形態では、ステー９の平板２７の下面に間隔を有してフィン２８，２９，３０，３１を垂設したが、これに限らず、ステー９の平板２７の上面に間隔を有してフィン２８，２９，３０，３１を立設するように構成してもよいことは勿論である。
【００３０】
プリント基板１４，１５，１６，１７の熱はステー９によりフロントパネル２とリアパネル３に伝達されるとしたが、これに限らず、ステー９の上面に放熱ゴムを貼り、この放熱ゴムを介してトップパネル５にも伝達されるようにしてもよい。
【００３１】
フィン２８はＤＤコンバータ１９の側面に近接して配置したが、これに限らず、フィン２８に放熱ゴムを付設し、この放熱ゴムをＤＤコンバータ１９の側面に当接させて、ＤＤコンバータ１９の熱を吸収するようにしてもよい。隆起部３３にはＶ溝３３ａ，３３ｂ，３３ｃ，３３ｄが刻設されているとしたが、これに限らず、Ｕ溝等の他の形状の溝であってもよく、更に他の方式の保持部であってもよい。
【００３２】
【発明の効果】
以上説明したように、本発明によれば、複数のプリント基板は金属製のステーの複数のフィン部で仕切られているため、それぞれのプリント基板から発生する電磁波をシールドすることができ、空間的な電磁干渉によるチャンネル間のクロストークの劣化やＳ／Ｎ比の悪化等を防止することができる。
【００３３】
ステーの複数のフィン部が複数のプリント基板の間に対向するように配置され、かつステーが金属製のため熱伝導率が良く、複数のプリント基板から発生した熱を効果的に吸収し、外部に放熱することができる。
【００３４】
金属製のステーという単一の部材を用いて、筐体を補強し、電磁波をシールドし、効果的に熱を吸収し外部に放熱するという多機能を実現でき、ビデオカメラの一層の小型化を図ることができる。
【００３５】
また、ステーの複数のフィン部の所定個所に発熱部品に当接するための放熱部材を付設した場合には、発熱部品の熱を放熱部材を介して一層効果的に吸収し、外部に放熱することができる。
【００３６】
ステーの所定のフィン部を発熱部品に近接配置させた場合には、発熱部品の熱を当該フィン部を介して効果的に吸収し、外部に放熱することができる。
【００３７】
更に、ステーの平板部の他面に放熱部材を付設し、この放熱部材を筐体に当接させるようにした場合には、プリント基板の熱をステーを介して、筐体の広い面積に伝達することができ、一層放熱効果を向上させることができる。
【図面の簡単な説明】
【図１】本発明に係るビデオカメラの分解斜視図である。
【図２】本発明に係るステーを組み付けた状態を示す図である。
【図３】本発明に係るビデオカメラの外観図である。
【図４】ステーの側面図である。
【図５】ステーの下面図である。
【図６】ステーをバックパネル側から見た背面図である。
【図７】図３におけるＡ−Ａ線断面図である。
【図８】従来のビデオカメラの一例を示す分解斜視図である。
【符号の説明】
１・・・ビデオカメラ、２・・・フロントパネル、３・・・リアパネル、４・・・ボトムパネル、５・・・トップパネル、６・・・レンズマウント、９・・・ステー、１１・・・プリズムアクセサリ、１３・・・マザーボード、１４，１５，１６，１７・・・プリント基板、１９・・・ＤＤコンバータ（発熱部品）、２０・・・放熱ゴム、２７・・・平板部、２８，２９，３０・・・フィン、３１・・・小フィン、３２・・・放熱ゴム（放熱部材）、３３・・・隆起部（保持部）、３３ａ，３３ｂ，３３ｃ，３３ｄ・・・Ｖ溝、３７・・・ＤＳＰ（発熱部品）
【図１】
0004224916.tif 000002
【図２】
0004224916.tif 000003
【図３】
0004224916.tif 000004
【図４】
0004224916.tif 000005
【図５】
0004224916.tif 000006
【図６】
0004224916.tif 000007
【図７】
0004224916.tif 000008
【図８】
0004224916.tif 000009